Podtech/llm-jp-corpus-v4-ja_patent huggingface dataset:
(57)【要約】      （修正有）【課題】液体封入型の液圧による緊迫力測定装置に於いて、不具合の原因であった液体の大きな体積熱膨張を補正し、容器の体積熱膨張率に合せることにより温度影響による圧力変動を排除する。【解決手段】密閉容器内部に液体の体積熱膨張率よりも体積熱膨張率の少ない部品を一定割合で同封することで、内部の平均体積熱膨張率を容器の体積熱膨張率に合せ、熱膨張による影響を排除し、精度の高い緊迫力を測定できる。【選択図】図３
2013185916.tif 000002
【特許請求の範囲】
【請求項１】
外部周囲からの圧力や押圧で起歪可能な密閉容器中の液体圧力により、圧力や押圧を測定する場合、密閉された当該容器中の液体の中に体積熱膨張率の小さな物体を入れることにより、密閉内部の平均体積熱膨張率を容器の体積熱膨張率と同じくすることで、温度による圧力影響を排除したことを特徴とする外部圧力や押圧を測定する装置。
【発明の詳細な説明】
【技術分野】
【０００１】
本発明は、歪可能な密閉容器の液圧を測定することで、外部周囲からの緊迫力を測定する。        
【背景技術】
【０００２】
緊迫力を受ける側の加工物を測定機にし、緊迫力による起歪を利用し、ひずみゲージ、圧電素子や油圧を用いて緊迫力を測定していた。
【０００３】
従来の緊迫計例、図１において、1対の起歪体１の内側にG1,G2,G3,G4が貼り付けられており、ホイートストンブリッジが形成されている。
【０００４】
上下1対の起歪部の中央に上下から圧縮力が働くと各ゲージに圧縮と伸びのひずみが発生し其のひずみ量をホイートストンブリッジからの電気信号として取り出すようにしてある。
【０００５】
このような構成において、起歪部の周囲から緊迫力がかかると、ゲージに垂直な成分の力が起歪部に働き、上下から押される力により梁にひずみが発生する。この信号を緊迫力としてとしていた。
【０００６】
しかし、全周囲からの圧力を上下方向の力のみで代表することや、起歪体の剛性が低く大きな緊迫力に対しては、実際の緊迫力との差異が発生してしまう問題があった。このため、液体を起歪可能な筒状の中に封入し、外部圧力によって起歪することによる液体の圧力を測定することもあった。液体の体積熱膨張率は、起歪部を兼ねる容器の金属体積熱膨張率よりはるかに大きく、僅かな温度変化でも圧力は大きく変動し、外周の圧力を精度良く測ることは不可能であった。
【先行技術文献】
【特許文献】
【０００７】
特許公開平７−３０８８０８  回転数及び把持力測定器
【発明の概要】
【課題を解決するための手段】
【０００８】
上記問題を解決するために、封入された液体を含む内部の体積熱膨張率を起歪部である容器の金属の体積熱膨張率に合せることにより、温度による圧力変化を小さくする。
【０００９】
封入された体積熱膨張率の大きな液体に、体積熱膨張率の小さな物質を混入すれば、其の平均体積熱膨張率を調整することが可能である。
【発明を実施するための最良の形態】
【００１０】
実施例を説明する。起歪部を兼ねる容器１に液体２と平均体積膨張率調整部品３が入っており、圧力計6を、パッキン4-1を介して取り付けられ密閉構造になっている。
【００１１】
ここでの、起歪部を兼ねる容器１の外部周囲から緊迫力を受けると起歪部を兼ねる容器１は起歪し、内部の容積が小さくなり、内部の圧力は圧力計のダイヤフラムを押し、圧力の上昇として起歪量、つまり外周部からの緊迫力を測定することが出来る構造になっている。
【００１２】
上記問題を解決するために、封入された液体を含む内部の体積熱膨張率を起歪部である容器の金属の体積熱膨張率に合せることにより、温度による圧力変化を小さくする。
【００１３】
計算例として、前記の構造で、起歪部を兼ねる容器１にステンレス体積熱膨張率33 ppm/℃、液体にグリセリン体積熱膨張率500 ppm/℃、平均体積膨張率調整部品３にインバー体積熱膨張率2 ppm/℃を使用した場合、物質の体積割合は、
インバーの体積割合を
x とし、グリセリンの体積割合を
y とすれば
33=6x+500y
x +y=1
以上から
x=467÷494=0.9453…
体積熱膨張率補正金属インバーの体積割合は、約0.945であり、グリセリンの体積割合は、約0.054である。
各部品を液体は真空脱泡や加熱脱泡を行い気体の混入を防ぐことで、気体による影響を排除することや、異なる体積熱膨張率の割合の調整は、パッキンの厚さを加減することによっても可能である。
【図面の簡単な説明】
【００１４】
【図１】従来の実施例の説明図である。
【図２】従来の実施例の内部結線の説明図である。
【図３】本発明の実施例、断面説明図である
【符号の説明】
【００１５】
１  起歪部
２  液体
３  平均体積熱膨張率調整部品
４  パッキン
５  プラグ
６  圧力計
G1〜G４ 電気抵抗検出手段ひずみゲージ
【図１】
2013185916.tif 000003
【図２】
2013185916.tif 000004
【図３】
2013185916.tif 000005
(57)【要約】【課題】  本発明は、裁縫中、針山の部分に手元で針を刺して裁縫箱の中に置いてしまっておくことができ、待ち針が必要な裁縫のときは、通常のサイズの針山より何本か必要な本数を刺すことができる指にはめるベビー針山を提供する。【解決手段】  円形状の針山を固定する台に複数の針山を設け、針山の中央に鈴を設け、針山を固定する台に指にはめる帯を設け、針山を固定する台の周囲をカバーするために帯を巻いたことを特徴とする指にはめるベビー針山。【選択図】図１
2013185293.tif 000002
【特許請求の範囲】
【請求項１】
円形状の針山を固定する台に複数の針山を設け、針山の中央に鈴を設け、針山を固定する台に指にはめる帯を設け、針山を固定する台の周囲をカバーするために帯を巻いたことを特徴とする指にはめるベビー針山。
【発明の詳細な説明】
【技術分野】
【０００１】  本発明は、裁縫中、針山の部分に手元で針を刺して裁縫箱の中に置いてしまっておくことができ、待ち針が必要な裁縫のときは、通常のサイズの針山より何本か必要な本数を刺すことができる指にはめるベビー針山に関するものである。
【背景技術】
【０００２】  裁縫をする際、縫い針を置く（刺す）ため、待ち針を少本数使用する際も、従来の大きい針山を使用しなければならなかった。
【先行技術文献】
【特許文献】
【０００３】
【特許文献１】  特開２００３−８９９１４号公報
【発明の概要】
【発明が解決しようとする課題】
【０００４】  本発明は裾のほつれや釦つけや繕い物をするとき、従来の針山を使用した際、待ち針が刺さっている針山を使用すると、必要ではない待ち針が袖口のところで引っかかったりしていた。
縫い針だけなら小さな針山で良いと思い発明した。
【課題を解決するための手段】
【０００５】  円形状の針山を固定する台に複数の針山を設け、針山の中央に鈴（３）を設け、針山を固定する台に指にはめる帯を設け、針山を固定する台の周囲をカバーするために帯を巻いたことを特徴とする指にはめるベビー針山。
【発明の効果】
【０００６】  携帯できることによって旅行中も小物入れに入り、普段失くし易い縫い針も指先の針山に刺すことができ、安全と便利さが実感できる。
待ち針を使用しないときに縫い針を刺すことが指先で手軽にできる。
待ち針を必要としないとき、縫い針を一時刺しておいて容易に次の作業をすることができ、手元に針の確認ができる。
色、種類見た目もかわいい。
指にはめる形なので携帯にも便利で、子供でも手軽にはめることが可能である。
【図面の簡単な説明】
【０００７】
【図１】  本発明の断面図である。
【図２】  本発明を上方向から見た平面図である。
【発明を実施するための形態】
【０００８】  以下本発明の実施の形態について説明する。
（イ）円形状の針山を固定する台（４）に複数の針山（１ａ、１ｂ、１ｃ、１ｄ）を設ける。
（ロ）針山（１ａ、１ｂ、１ｃ、１ｄ）の中央に鈴（３）を設ける。
（ハ）針山（１ａ、１ｂ、１ｃ、１ｄ）を固定する台（４）に指にはめる帯（２）を設ける。
（ニ）針山（１ａ、１ｂ、１ｃ、１ｄ）を固定する台（４）の周囲をカバーするために帯（５）を巻く。
本発明は以上のような構成である。
本発明を使用するときは、左右どちらかの指の好きな指にはめることができる。
帯（５）を自分の使用しやすい指にはめる。
待ち針が必要な際は、針山（１）の部分に何本か刺しておくとことができる。
針山（１）の部分は３〜４つに分けられている。
針山（１）に鈴が付いている。
縫い針がすぐ手元で確認でき、待ち針も少数使用する際もとても便利である。
針山（１ａ、１ｂ、１ｃ、１ｄ）に一時的に置いた（刺した）縫い針を手元で容易に確認することができる。
待ち針が必要な場合は、必要本数のみ裁縫箱より針山（１ａ、１ｂ、１ｃ、１ｄ）に刺す。
裁縫中の縫い針は失くし易いので針山（１ａ、１ｂ、１ｃ、１ｄ）に刺しておく。
針山（１ａ、１ｂ、１ｃ、１ｄ）が分かれていることで針の本数を確認することができる。
裁縫が済んだあと、日頃携帯している小物入れに収納する。
指にはめる部分はゴムを使用し、指の太さの大、小も必要なく使用できるようにした。
帯（５）の部分は、子供が学校などで使用する際、ネームで自分のものとわかる。
帯（５）の部分はゴムで調節する。
【符号の説明】
【０００９】１  針山
２  指にはめる帯
３  鈴
４  針山を固定する台
５  帯
【図１】
2013185293.tif 000003
【図２】
2013185293.tif 000004
(57)【要約】【課題】  既成車両の発電装置を利用して水力を動力としてその発電装置を稼働させる、低コストで移動可能な水力発電機を提供する。【解決手段】  既成車両の発電装置に水車（４）を接続して水力を動力として発電装置を稼働させ、吊り金具（１）で発電機全体を移動可能にしたことを特徴とする。【選択図】図１
2013185579.tif 000002
【特許請求の範囲】
【請求項１】
既成車両の発電装置に水車（４）を接続し水力を動力としてその発電装置を稼働させ、吊り揚げて移動が可能にしたことを特徴とする水力発電機。
【発明の詳細な説明】
【技術分野】
【０００１】  この発明は、車両に元々備わっている発電装置を利用して、水力を動力としてその装置を稼働させる、中古車を利用した移動可能な水力発電機である。
【背景技術】
【０００２】  従来の水力発電機は、長期の稼働を目的として動力となる水源に固定されている。
【先行技術文献】
【特許文献】
【０００３】
【発明の概要】
【発明が解決しようとする課題】
【０００４】  これは、つぎのような欠点があった。
従来の水力発電機はその場所に応じていわばオーダーメイドで建設されるのでコスト的にも高額となる。また、必要がなくなった場合には解体をしなくてはならない。
本発明は、以上のような欠点をなくすためになされたものである。
【課題を解決するための手段】
【０００５】  既成車両の発電装置に水車（４）を接続し、水力を動力としてその発電装置を稼働させる。車両と水車（４）全体を支える構造体に、クレーン等で吊り揚げることができるように吊り金具（１）をつけておく。。
本発明は、以上の構成よりなる水力発電機である。
【発明の効果】
【０００６】  本発明は、発電能力としては小規模ではあるが、既成の発電装置を再利用するため、コストを抑えることができる。また、排気ガス規制で自動車としては使用できなくなった車両も、エンジンを使用しないので再利用できる。
車両から不要の設備を取り外して軽量化するので、小型の移動式クレーン車で吊り揚げることができ、軟弱な農道のような進入路しかない用水路にも、設置及び撤去が可能となる。
【図面の簡単な説明】
【０００７】
【図１】  本発明の一部を切り欠いた平面図である。
【図２】  本発明の側面図である。
【発明を実施するための形態】
【０００８】  以下、本発明を実施するための形態について説明する。
車両のデフレシャルギア（１０）のある車軸のホイール（２）に水車（４）を接続し、水力で回転させて車両の発電装置を稼働させる。
車両と水車（４）は移動できるように吊り金具（１）のついた構造体に設置する。
本発明は、以上のような構造である。
設置する水源の状況に応じて、軽自動車・普通乗用車・トラック等、使用する車両を選定し、水車（４）の水受け羽の枚数を決定する。ターンバックル（１１）により高低の調整もできる。また、電力の使用状況に応じバッテリー（６）の容量を決めていく。
【符号の説明】
【０００９】  １    吊り金具
２    ホイール
３    ベアリング
４    水車
５    インバーター
６    バッテリー
７    ダイナモ
８    Ｖベルト
９    ロット
１０  デフレシャルギア
１１  ターンバックル
【図１】
2013185579.tif 000003
【図２】
2013185579.tif 000004
(57)【要約】      （修正有）【課題】充分な花火効果を有し、ほとんど煙や匂いのないキャンドル取付用花火を得る【解決手段】塩化水素等の刺激性気体や、多くの煙を発生することのないように、ゆっくり燃焼するニトロセルロースからなる筒１に、この筒より早く燃焼するニトロセルロース粉末に花火剤を混和したもの２を詰める。先端に点火部４を設ける。下部に、キャンドルの芯が入る円筒状の空隙を設けるとともに、最下部に蝋にに親和性のある接着剤３を取り付けてある。【選択図】図１
2013185812.tif 000002
【特許請求の範囲】
【請求項１】
ニトロセルロースで出来た筒の中にニトロセルロースを主成分とする花火用火薬を詰めた花火で最下部に粘着剤がついているキャンドル装着用の花火
【請求項２】
請求項１の花火で粘着剤の付いていないもの
【請求項３】
請求項２の花火を取付けたキャンドル
【発明の詳細な説明】
【技術分野】
【０００１】本発明は刺激臭や煙りの極めて少ない花火付きキャンドル用花火に関する
【背景技術】
【０００２】一般に今現在ブライダル用に普及している花火付きキャンドルは例えば過塩素酸アンモニウムを酸化剤とし樹脂等を可燃剤とする火薬を主成分とし燃焼させると塩化水素等の刺激性気体が発生するため換気や使用上の注意が種々あって小さな会場では使いにくいものであった。かといって過塩素酸カリウムを酸化剤に使うと煙りの量が多くなって使えない状態であった。またニトロセルロースを使用した花火では円筒状のニトロセルロース成型品がありこれの火花剤の量を多くすると速燃現象を起こすなど危険性があり、充分な火花効果を得ることが困難であった。
【発明の概要】
【発明が解決しようとする課題】
【０００３】火花効果が充分大きく、かつ刺激性気体や煙りのほとんど出ない花火付きキャンドルまたはそのための花火を市場に提供する。
【課題を解決するための手段】
【０００４】ゆっくり燃焼するニトロセルロースの筒に、この筒よりも早く燃焼するニトロセルロースの花火用粉末火薬を詰める
【発明の効果】
【０００５】本発明により小さな会場やホームパーティ等にも使える花火付きキャンドルが提供される。この場合刺激性気体や煙りはほとんど発生せず、かつ火花効果の充分大きな花火が得られる。
【図面の簡単な説明】
【０００６】
【図１】請求項１かつ実施例１の構造図であって、ニトロセルロースよりなる筒（１）にニトロセルロース粉末に火花剤を混和したもの（２）を詰めたものに蝋に親和性の接着剤（３）を下部に取り付けてある。
【図２】請求項３かつ実施例２の構造図である
【実施例１】
【０００７】内径３ｍｍ長さ５ｃｍ肉厚約０．５ｍｍのニトロセルロース製円筒で底のあるものにニトロセルロースの粉末に火花剤を１％ほど混和したものを詰めた場合には点火により火花が炎とともに燃焼面から約６ｃｍほどの高さに噴き出した
【実施例２】
【０００８】内径１３ｍｍ長さ５ｃｍ肉厚約０．５ｍｍのニトロセルロース製円筒をキャンドルの芯の周りに埋め込み、これにニトロセルロースの火花剤いり花火用火薬を詰め、ニトロセルロース化紙の蓋をニトロセルロースのアセトン溶液を糊剤として接着したものに点火した場合火花が約４０ｃｍほど燃焼面から上方に噴出した
【符号の説明】
【０００９】１  ニトロセルロース製の筒
２  ニトロセルロースを主成分とした火花剤入りの花火用粉末火薬
３  キャンドルに取り付ける為の粘着剤例えばマイクロクリスタリンワックス
４  火を付ける部位（１が太いものではニトロセルロース化紙で出来た蓋をする細いものでは表面にコロジオンを塗布あるいは最初から試験管のように底のあるニトロセルロースの容器を用いてその底を点火部とする）
５  本発明の花火をキャンドルに固定する埋め込み部
６  キャンドルの芯
７  キャンドル
８  キャンドルの芯が入る空隙
【図１】
2013185812.tif 000003
【図２】
2013185812.tif 000004
(57)【要約】【課題】  本発明は、十能で特に粒状物を掬うとき、十能の開口部からこぼれ落ちるものが多い。そこで、十能の開口部にこぼれ防止のための遮蔽板を開閉自在に設け、特に粒状物を掬った場合、逆流してこぼれるのを防ぐことを目的とした粒状物のこぼれ止め十能を提供する。【解決手段】  十能先端の開口部に開閉自在の遮蔽板を取り付け、遮蔽板を開いて粒状物を掬った後、遮蔽板を起こしてこぼれ止めになるように工夫した粒状物のこぼれ止め十能。【選択図】図１
2013185810.tif 000002
【特許請求の範囲】
【請求項１】
十能先端の開口部に開閉自在の遮蔽板を取り付け、遮蔽板を開いて粒状物を掬った後、遮蔽板を起こしてこぼれ止めになるように工夫した粒状物のこぼれ止め十能。
【発明の詳細な説明】
【技術分野】
【０００１】  本発明は、十能で特に粒状物を掬うとき、十能の開口部からこぼれ落ちるものが多い。
そこで、十能の開口部にこぼれ防止のための遮蔽板を開閉自在に設け、特に粒状物を掬った場合、逆流してこぼれるのを防ぐことを目的とした粒状物のこぼれ止め十能に関するものである。
【背景技術】
【０００２】  粒状物を十能で掬った場合、流動性が高いので、開口部から戻ってこぼれるのが多い。
【発明の概要】
【発明が解決しようとする課題】
【０００３】  粒状物は粘着性がないので、十能で掬っても開口部からこぼれ落ちるのが多く、作業効率が極めて悪い。
本発明は以上の問題点を解決するものである。
【課題を解決するための手段】
【０００４】  上記問題点を解決するため、本発明は十能先端の開口部（１）に開閉自在の遮蔽板（２）を取り付け、遮蔽板（２）を開いて粒状物を掬った後、遮蔽板（２）を起こしてこぼれ止めになるように工夫した粒状物のこぼれ止め十能である。
【発明の効果】
【０００５】  十能の開口部に開閉自在の遮蔽板を取り付け、スコップとなり、閉じれば掬った物のこぼれを防ぐ遮蔽板となる
十能の開口部から掬った粒状物が零れ落ちるのを防止できるので、作業の効率が上がる。
【図面の簡単な説明】
【０００６】
【図１】  本発明の斜視図である。
【図２】  本発明の開口部、および遮蔽板の要部拡大図である。
【図３】  遮蔽板の開閉状態図である。
【発明を実施するための形態】
【０００７】  以下本発明の実施の形態について説明する。
十能先端の開口部（１）に開閉自在の遮蔽板（２）を取り付けたのが本発明の主要構造である。
開口部（１）と遮蔽板（２）の境界には鋼板（３）を溶接して両方を繋ぐと共に、遮蔽板（２）の開閉を可能ならしめる。（図３を参照）
通常、遮蔽板（２）は倒れて開いた状態であるが、遮蔽板先端中央（５）と柄（６）を結ぶ鋼線の操作線（４）の中央部を引っ張り上げれば、遮蔽板（２）は起き上がった状態になり、手を離せば元に戻る。
作業手順としては、片手で持った十能で物をすくい、操作線（４）の中央部を別の手指で引っ張り上げて遮蔽板（２）を起こし、こぼれを防いだ後目的点に移動して操作線（４）を戻せば、物を落下させることができる。
十能の開口部（１）に開閉自在の遮蔽板（２）を取り付け、スコップとなり、閉じれば掬った物のこぼれを防ぐ遮蔽板となる。
【符号の説明】
【０００８】１  開口部
２  遮蔽板
３  鋼板
４  操作線
５  遮蔽板先端中央部
６  柄
７  側板
【図１】
2013185810.tif 000003
【図２】
2013185810.tif 000004
【図３】
2013185810.tif 000005
(57)【要約】【課題】  砂時計は砂の落下時には音は全くしないものであった。  このため視覚により時刻を確認するしかなく、時々見忘れを起こしたり、目の悪い方に使用できないものであった。トランキリティ・リラクゼーション・チャイムは音を楽しむものであり、落下する時間は不規則で時計としての機能はない。【解決手段】  粒子または玉を一定の間隔で落下するようにする時計部と粒子または玉の落下時に、音を発生させる音発生部より構成される砂時計を特徴とする。【選択図】図１
2013200291.tif 000002
【特許請求の範囲】
【請求項１】
粒子または玉を一定の間隔で落下するようにする時計部と、粒子または玉の落下時に、音を発生させる音発生部より構成される砂時計。
【請求項２】
時計部１が振り子１５と流路ブロック２０よりなり、一定間隔で粒子または玉を落下させる機能を有する請求項１の砂時計。
【請求項３】
音発生部３が複数の玉が同時に落下した場合に、和音を発生させる機能を有する請求項１の砂時計
【発明の詳細な説明】
【技術分野】
【０００１】  本発明は、一定の時間が計れるとともに、時を刻む間音を奏でることができる砂時計に関する。
【背景技術】
【０００２】  砂時計は日常生活にも時を計測するための道具として深く浸透している。また、装飾品としての使い方も一般的でありカラフルな色や形の砂時計が存在する。
【先行技術文献】
【０００３】
【特許文献１】特開２００３−１０７１７６号公報
【発明の概要】
【発明が解決しようとする課題】
【０００４】  通常の砂時計は砂・砂鉄などが一定の時間で落ちるようにし、時間を測定できるようにしたものである。また、時計機能と装飾機能を兼ねるものもあった（特開２００３−１０７１７６号）。しかしながら、時を刻む間、音を発生させる機能をもった砂時計は今までになかった。このため、視覚により時刻を確認するしかなく、時々見忘れを起こしたり、目の悪い方に使用できないものであった。本発明は粒子または玉を一定の間隔で落下させることを可能にし、落下する粒子または玉により音を奏でる砂時計を提供し以上のような欠点をなくすためになされたものである。
【課題を解決するための手段】
【０００５】  本発明は、粒子または玉を一定の間隔で落下させる時計部と、粒子または玉の落下時に、音を発生させる音発生部より構成される砂時計である。
【発明の効果】
【０００６】  粒子または玉が落下し時を刻む間、音を奏でるので視覚と聴覚にて確認できるため、見忘れなどなく時間確認の確実性があがる。目の悪い方にも使用可能な砂時計である。
また、単なる時計ではなく、玉が落ちる様子を見たり、音が奏でられることによりトランキリティ・リラクゼーション・チャイムとしての役割もあり、見ても、聞いても楽しい癒しグッズとしての効果もある。
【図面の簡単な説明】
【０００７】
【図１】  本発明の一実施例による斜視図である。
【図２】  図１の時計部の拡大図である。
【図３】  本発明の第２実施例による斜視図である。
【発明を実施するための形態】
【０００８】  以下、本発明を実施するための形態を説明する。
図１は本発明の一実施例の斜視図であり、時計部１と音発生部３などより構成される。
玉６の動きの順序に基づいて、はじめに時計部１を図２により、次に音発生部３を図１により説明する。
【０００９】  図２（１）に示すように、玉を一定の間隔で落下するようにする時計部１は以下の構造からなる。玉の導入路１６排出路１７を有する流路ブロック２０と一定の時間間隔で上下する振り子１５からなる。振り子１５は回転運動可能な状態で軸１４に取り付け、重量バランスは玉が玉受け部９にない場合は振り子左部１３が、玉が玉受け部９にある場合は振り子右部１１が重くなるように調節ネジ１２で調節する。
はじめ、玉が玉受け部９にないため、振り子１５は振り子右部１１が上がりストッパー１９Ｂで止まった状態となる。この位置で同図（２）に示すように、振り子１５の玉受け部９と導入路１６とが一致し、玉が導入路１６から振り子１５の玉受け部９に押し込まれる。玉受け部９に玉が入ると、玉の重みにより振り子１５の右部１１は重くなり玉受け部９は軸１４を中心に円弧を描いて下に振れる。玉受け部９の深さは玉の先端が玉受け部９より少し出てかつ流路ブロック内壁１８に当たらない高さに調節する。  これは、同図（３）に示すように振り子１５が可動するときはじめの玉は流路ブロック内壁１８で押さえられ、次の玉は振り子先端部１０で押さえられ飛び出さないようにするためである。  玉受け部９が排出路１７まで進むとストッパー１９Ｄにより止まる。  この時、同図（４）に示すように、排出路１７と玉受け部９が一致し玉は排出される。  玉が排出路１７に排出されると、振り子１５の右部１１は軽くなり、振り子左部１３の重みにより上に振れストッパー１９Ｂにより止まる。そして再び次の玉が玉受け部９に押し出され一連の動作を繰り返すことになる。
【００１０】  音を発生させる音発生部３を説明する。
玉６が落下した時に、はじめ振り分け部４Ａに当たり、玉がどの方向に落ちるか振り分けられる。方向は必然的に決まるようにしてもよいし、偶発的に決まるようにしてもよい。その後、琴部５Ａに落下する。琴部は金属、木、陶器など音色の同じもので構成することも、混成させることできる。  また、音階調整したものでも、しないものでもよい。  共鳴箱を付けることにより、音色がよりまろやかにかつ大きくすることができる。  玉は金属、プラスチックなど種類により弾性係数が異なることから、弾んで飛んだり、即止まったりするので、音色を変えたり、見た時の粒子または玉の動きに変化を付けることも出来る。粒子または玉に色をつけることにより見た目の変化を付けることもできる。
また、これら琴部は一段にしても多段に組み合わせてもよい。組み合わせにより、より複雑な深みのある音が楽しめるようになる。
ここでは２段で音階を調整した場合に関して記載する。  例えば、金属で琴部５Ａ、５Ｂを作り、音階を調整してド、ミ、ソのような和音を構成するようにしておく。  玉は通常は一音一音鳴るが、玉は次々に落ちてくるので同時に先の玉と後の玉とが嗚ることがあり、この場合和音を構成させることができる。  これは偶発的に起こるものであり、どのような和音になるのかと待つ楽しみができる。
【００１１】  本発明の他の実施例について図３に説明する。
時計部１Ｃを一箇所とし琴部２２も一音と従来の砂時計に近い構造とした。  ここでは平面的なものを示したが立体的にしてもよい。
本発明は、以上のような構造である。
これを使用する時は、一度玉が下に落ちた場合は、ひっくり返せばよい。
【符号の説明】
【００１２】１  時計部
２  上下容器
３  音発生部
４  振り分け部
５  琴部
６  玉
７  受け板
８  支柱
９  玉受け部
１０  振り子先端部
１１  振り子右部
１２  調節ネジ
１３  振り子左部
１４  軸
１５  振り子
１６  導入路
１７  排出路
１８  流路ブロック内壁
１９  ストッパ
２０  流路ブロック
２１  容器
２２  琴部
２３  固定枠
【図１】
2013200291.tif 000003
【図２】
2013200291.tif 000004
【図３】
2013200291.tif 000005
(57)【要約】【課題】全摘用乳房パッドの下端に当布を設けてブラジャーのワイヤーで抑えることでズレを防止しているものがあるが、それでもずれることがある。又、当布の長さが十分でないと肋骨にワイヤーが当たり痛いことがある。  【解決手段】丸洗いできる全摘用義乳パッドであって、パットの下端の形状に沿って幅５０ｍｍ以上、長さ１３０ｍｍ以上の肌色の当布を設ける。そして、肌に触れる面は肌に優しい生地の全摘用義乳房パッド【選択図】図３
2013249567.tif 000002
【特許請求の範囲】
【請求項１】
丸洗いできる全摘用義乳パッドであって、パットの下端の形状に沿って幅５０ｍｍ以上、長さ１３０ｍｍ以上の肌色の当布を設け、肌に触れる面は肌に優しい生地であることを特徴とする全摘用義乳房パッド。
【請求項２】
前記当布は、厚さ３mm〜５ｍｍあることを特徴とする請求項１記載の全摘用義乳房パット。
【請求項３】
左右対称であることを特徴とする請求項１又は請求項２に記載の全摘用義乳房パット。
【発明の詳細な説明】
【技術分野】
【０００１】
本発明は、健全な時に使っていたブラジャーを使える全摘用乳房パットである。
【背景技術】
【０００２】
全摘用乳房パットは専用のブラジャーをあらたに購入しなければならなかった。又、全摘用乳房パットは見えては行けない全摘用乳房パットばかりであった。そこで、今まで使用していたブラジャーをそのまま使用できる全摘用乳房パットで、ブラジャーのワイヤーがパットの下端の当布に当たり全摘用乳房パッドを固定し、ずれを防止する全摘用乳房パッドがある。又、当布は肌色であるのであるので見えても問題はない。
【先行技術文献】
【特許文献】
【０００３】
【特許文献１】実開平７−３３９１８号公報
【特許文献２】実用新案登録３１３８７１０号
【発明の概要】
【発明が解決しようとする課題】
【０００４】
しかし、全摘用乳房パッドの当布をブラジャーのワイヤーで抑えることでズレを防止しているが、それでもずれることがある。又、当布の長さが十分でないと肋骨にワイヤーが当たり痛いことがある。
【課題を解決するための手段】
【０００５】
本発明は、丸洗いできる全摘用義乳パッドであって、パットの下端の形状に沿って幅５０ｍｍ以上、長さ１３０ｍｍ以上の肌色の当布を設け、肌に触れる面は肌に優しい生地であることを特徴とする全摘用義乳房パッドである。
更に、本発明の当布は厚さ３mm〜５ｍｍあり、左右対称の全摘用義乳房パッドである。
【発明の効果】
【０００６】
上述の様に本発明は専用のブラジャーを購入する必要もなく肌の過敏な部分には肌に優しい生地を使用するので皮膚を刺激するような欠点を防止できる。義乳房が一時的にずれたときに服の上からブラジャーの下から出ている当布によって位置を調整することができる。又、当布の色は肌色であるのでブラジャーの下から当布が見えていても目立たない。当布の厚さが３ｍｍ〜５ｍｍあるのでブラジャーの下部のワイヤーの圧迫感を解消することができる。左右対称であるので右にも左にも使用することができる。更に、使用されている材質は全て洗濯可能なものであるので全摘用乳房パットは丸洗いができる。
【図面の簡単な説明】
【０００７】
【図１】全摘用乳房パットの正面図である。
【図２】全摘用乳房パットのＡ−Ａ断面図である。
【図３】全摘用乳房パットを装着した状態の使用説明図である。
【発明を実施するための形態】
【０００８】
図１から図２を用いて本発明の実施例について説明する。
本発明の実施例は、全摘用乳房パッド１は、図１、図２に示すように外皮の布２と内部に心材３と当布４により構成されている。全摘用乳房パッド１の心材３は洗濯可能なビーズ、スポンジ、わた等である。外皮２の布の材質は、肌に触れる部分は、肌に優しく洗濯可能な材質の綿等を使用する。肌に触れない部分の布は洗濯可能なものであれば何でも良い。又、全摘用乳房パッド１の周囲５はオーバーロック縫いで製作する。図１に示すように、当布４は全摘用乳房パット１の下端の形状に沿って厚さ３mm〜５mmで幅５０ｍｍ以上、長さ１３０ｍｍ以上設ける。当布４の材質は肌に触れる部分は、肌に優しく洗濯可能な材質の綿等を使用する。肌に触れない部分の布は肌色で洗濯可能なものであれば何でも良い。
次に、図３を用いて全摘用乳房パッド１の使用方法について説明する。
全摘用乳房パッド１は、図３に示すように当布がブラジャー６の下からはみ出すようにして装着する。このとき、ブラジャー６の下端のワイヤーは当布４を介して肌に当てるのでブラジャーのワイヤーで手術の後傷や助骨に負担がかかることを防止する。
【０００９】
又、全摘用乳房パッド１は使用しているとずれることが度々ある。特に上に上がってくることが多い。このとき、ブラジャー6からはみ出した当布４を引張って全摘用乳房パッドの位置を調節する。当布の幅が５０ｍｍ以上あると服の上から当布４を引張ることができる。５０ｍｍ以下の場合は服の下に直接手を入れて当布４を引張らなければならないので不便である。
【００１０】
更に、当布４の長さは１３０ｍｍ以上でないとワイヤーの端部が肋骨に当たって痛いので、当布４の長さは１３０ｍｍ以上必要である。
【符号の説明】
【００１１】
１  全摘乳房パット
２  外皮
３  心材
４  当布
５  オーバーロック縫い
６  ブラジャー
【図１】
2013249567.tif 000003
【図２】
2013249567.tif 000004
【図３】
2013249567.tif 000005
(57)【要約】【課題】乳幼児の洗髪などを行う際、浴室内のシャワーを任意の箇所に移動する事が出来る装置を提供する。【解決手段】上下に吸盤を設ける事により、浴室内タイルの壁面等、任意の箇所に移動可能で、折りたたみ可能なシャワー用フックを提供する。【選択図】図３
2013249720.tif 000002
【特許請求の範囲】
【請求項１】
浴室内のシャワーを、必要に応じ壁面タイルなど任意の箇所に移動し、取り付けや、取り外しができる、シャワー用フックであって、本体上下背面に吸盤を設け、フック下部に設けたパイプを挟み、ピンを刺し、反対側を割りピン等で止め、フック先端を水平程度に下げる事で、シャワー持ち手をフックに差し込む事の出来るようにしたことを特徴とする、乳幼児の洗髪用シャワーフック。
【発明の詳細な説明】
【技術分野】
【０００１】  本発明は、浴室にて乳幼児の洗髪を行う際、壁面タイル部分下方等、任意の箇所に吸盤にて取り付け、シャワー持ち手部分を、フック穴部に差し込み使用することができる、乳幼児の洗髪用シャワーフックである。
【背景技術】
【０００２】  従来、浴室壁面等に取り付けて使用するシャワーフックは、主に壁面上部及び壁面中間部など二箇所程度に固定して有った。
【先行技術文献】
【特許文献】
【０００３】
【特許文献１】特許公開２０１１−１８３１１９（９頁、図１）
【発明の概要】
【発明が解決しようとする課題】
【０００４】  そのために次のような問題点があった。
上記のシャワーフックでは、大人や、子供でも自分で洗髪することが出来る場合には問題なくシャワーを使用できるが、乳幼児など、母親等が洗髪をしなければならない場合、殆どが乳幼児を仰向けにして抱きかかえ、片手で頭を支えながら、もう片方の手でシャワーを使って頭を洗うことに成るが、シャワーの位置が高すぎるのと、シャワーの方向が斜め前方に向かって出るため、シャワーが乳幼児の頭から顔にまでかかる事がある。
本発明は以上の問題点を解決するためになされたものである。
【課題を解決するための手段】
【０００５】  下部にカギ（８）を設けた上部吸盤（７）と、上部にカギ（８）で吊るす為の穴（９）を設け、下部にパイプ（５）を設けたフック（２）と、割りピン（４）用の穴を設けたピン（３）と、スプリング（６）、ピンを止める割りピン（４）と、下部背面に吸盤（１０）を持つ本体（１）から成るシャワーフック。以上を特徴とする乳幼児の洗髪用シャワーフックである。
【発明の効果】
【０００６】  乳幼児の洗髪をする際、浴室内タイル壁面など任意の場所にシャワーを取り付けて使用できる。
その他、シャワーから出る湯の方向が真っ直ぐ上から注がれるため、乳幼児の顔に湯が掛るのを防ぐことができる。
【発明を実施するための最良の形態】
【０００７】  以下、本発明の実施の形態について説明する。
（イ）浴室内タイル壁面等、任意の箇所に上部吸盤（７）を取り付ける。
その際、レバーを使う事で強力な力で取り付ける事ができる。
（ロ）フック（２）の、下方に設けたパイプ（５）左右を、各スプリング（６）に通し、本体下方に、ピン（３）と、割りピン（４）を使って設ける。
（ハ）上部吸盤（７）下部に設けたカギ（８）を、本体（１）上部に設けた穴（９）に差込み、本体下部背面に設けた下部吸盤（１０）を、タイル面等に押し付ける事により本体（１）を、壁面に取り付ける事ができる。
本発明は、以上の構成によりなっている。
本発明を使用するには、フック（２）を下方に倒し、シャワー持ち手を、フック穴部に上から差込んで使用する。
【図面の簡単な説明】
【０００８】
【図１】本発明をセットした状態の正面図。
【図２】本発明の分解図。
【図３】本発明のフックを倒し、シャワーをセットした状態の斜視図。
【図４】本発明のフックを上げた状態の斜視図。
【符号の説明】
【０００９】  １  本体
２  フック
３  ピン
４  割りピン
５  パイプ
６  スプリング
７  上部吸盤
８  カギ
９  穴
１０  下部吸盤
【図１】
2013249720.tif 000003
【図２】
2013249720.tif 000004
【図３】
2013249720.tif 000005
【図４】
2013249720.tif 000006
(57)【要約】      （修正有）【課題】お墓の維持や新しくお墓の購入が可能で、撤去で出る大量の墓石の処分が少ない一代限り個人用納骨箱付き墓標墓を提供する。【解決手段】柱２に姓名か戒名や死亡年月日を書いた、名板１を通路から見やすくするため斜めに取り付け、柱２の下部に側板３、５を取り付け低板を取り付け納骨室を作る。その中に骨壷を収め側板７でフタをして密封し、地面に四角いマス９の上部が隠れる位まで穴を掘りマスを設置し、マスの下部に納骨箱部分の上部とマスの上部が平行になる位まで小石１１を敷き水抜きにする組立てた納骨箱付き墓標をマスに入れ、マスと納骨箱部分のすき間にウレタン断熱材１０を注入し納骨箱を保護し、納骨箱とマスの上部がかくれる位に土をかける構成とした。【選択図】図１
2013249722.tif 000002
【特許請求の範囲】
【請求項１】
姓名や戒名や死亡年月日を書いた名板（１）を見やすくするため柱（２）上部に斜めに取り付け下部に側面（３）（４）（５）低板（６）を取り付け納骨室を作る。骨壷（８）を収納後、側板（７）を取り付け密封することで墓標と納骨室が一体になる。
地面に穴を掘りマス（９）を上部が隠れる位まで埋め込む。
そのマス（９）の中に納骨箱上部部分が隠れる位まで小石（１１）を敷いて水抜きにする。そのマス（９）の中へ組立てた納骨箱付き墓標を差し込む。
その隙間にウレタン断熱材（１０）を注入して納骨箱を保護する。
納骨箱上部が隠れる位に土をかける事でお墓となります。
本発明は以上のような一代限り個人用納骨箱付き墓標墓である。
【発明の詳細な説明】
【技術分野】
【０００１】  本発明は、一代限り個人用納骨室付き墓標墓に関するものである。
墓標は死者を埋葬または火葬骨を納骨した場所に目印として死者の姓名か戒名や死亡年月日などを記して建てる木碑でしたが現在では墓石が主流となりあまり使われなくなりました。
しかし、代々続くことを前提したお墓の維持が少子高齢化、低所得者の増加や経済的理由で難しくなり、今後大量に出る後継者のいないお墓の撤去と処理が大変で多くのお金と大量のガレキのゴミで社会問題になってきております。
この発明は墓標を木製やステンレス製にし、その下部に納骨室を設け一体化する事で省スペースで安価で設置や撤去も簡単に出来、使用後の処分も木製は焼却処分、ステンレス製はリサイクルが出来るためゴミが出ない環境にやさしいエコなお墓に関するものである。
【背景技術】
【０００２】  従来、墓標は死者を埋葬した場所の目印として死者の姓名か戒名や死亡年月日を記した木碑であった。
【先行技術文献】
【０００３】
【発明の概要】
【発明が解決しようとする課題】
【０００４】  お墓は先祖代々続く事を前提としているため、耐久性のある石にする事で末永く置く事が出来ますが、現在の様な少子高齢化、低所得者の増加による社会変化のため、後継者のいないお墓や経済的理由で維持出来ないお墓が今後大量に出るため、その廃棄処分に多額のお金とガレキゴミの処理が大変である。また、遺骨の置く所がない遺骨難民もまた大量に出る事がマスコミ等で報道されており社会問題になっております。
【課題を解決するための手段】
【０００５】  ▲１▼柱（２）に姓名か戒名や死亡年月日を書いた、名板（１）を通路から見やすくするため斜めに取り付け墓標にする。
▲２▼柱（２）の下部に側板（３）（４）（５）を取り付け低板（６）を取り付け納骨室を作る。その中に骨壷を収め側板（７）でフタをして密封する。
▲３▼地面に四角いマス（９）の上部が隠れる位まで穴を掘りマス（９）を設置する。
▲４▼マス（９）の下部に納骨箱部分の上部とマス（９）の上部が平行になる位まで小石（１１）を敷き水抜きにする。
▲５▼組立てた納骨箱付き墓標をマス（９）に入れる。
▲６▼マス（９）と納骨箱部分のすき間にウレタン断熱材（１０）を注入し納骨箱を保護する。
▲７▼納骨箱とマス（９）の上部がかくれる位に土をかける。
本発明は以上のように構成された一代限り個人用納骨箱付き墓標墓である。
【発明の効果】
【０００６】  本発明は、一代限り個人用納骨箱付き墓標墓にする事で省スペースで安価、設置もマス（９）に差し込むだけで簡単である。
墓地使用期限後の撤去も引き抜いて骨壷を取り出し共同墓  に移し替えるだけなので  マス（９）はそのまま使えるため  次に使用する人は工事の必要がなく、すぐ使えて便利である。
木製は焼却処分、ステンレス製にするとリサイクル出来るためゴミが出ない環境にやさしい簡単便利なエコなお墓である。
【図面の簡単な説明】
【０００７】
【図１】  本発明の正面図である
【図２】  本発明の分解斜視図である
【図３】  本発明の設置断面図である
【図４】  マスの斜視図である
【０００８】  以下本発明の実態の形態について説明する。
▲１▼柱（２）に姓名か戒名や死亡年月日を書いた、名板（１）を通路から見やすくするため斜めに取り付け墓標にする。
▲２▼柱（２）の下部に側板（３）（４）（５）を取り付け低板（６）を取り付け納骨室を作る。その中に骨壷を収め側板（７）でフタをして密封する。
▲３▼地面に四角いマス（９）の上部が隠れる位まで穴を掘りマス（９）を設置する。
▲４▼マス（９）の下部に納骨箱部分の上部とマス（９）の上部が平行になる位まで小石（１１）を敷き水抜きにする。
▲５▼組立てた納骨箱付き墓標をマス（９）に入れる。
▲６▼マス（９）と納骨箱部分のすき間にウレタン断熱材（１０）を注入し納骨箱を保護する。
▲７▼納骨箱とマス（９）の上部がかくれる位に土をかける。
マス（９）を地面に埋め込み納骨箱付き墓標墓を差し込むだけなので省スペースで安価に設置も撤去も簡単で墓地使用期限後は納骨箱付き墓標墓を抜き取り骨壷を取り出し共同墓に移した後、木製の納骨箱付き墓標墓は焼却処分、ステンレス製はリサイクルとゴミが出ない。マス（９）はそのまま使用できるため次に使用する人はマス（９）に納骨箱付き墓標墓を差し込むだけなので工事の必要がなく、簡単便利な環境にやさしいエコなお墓である。
【符号の説明】
【０００９】    １    名板
２    柱
３    側板
４    側板
５    側板
６    低板
７    側板
８    骨壷
９    マス
１０  ウレタン断熱材
１１  小石
【図１】
2013249722.tif 000003
【図２】
2013249722.tif 000004
【図３】
2013249722.tif 000005
【図４】
2013249722.tif 000006
(57)【要約】【課題】本発明は、コストが低い結晶製造方法を提供する。【解決手段】本発明の結晶製造方法は、材料を金型の凹溝に収容するステップと、前記材料を溶融させて、溶融した材料が、前記凹溝を充填して薄膜を形成するステップと、種結晶を下降させて、その下表面を前記薄膜の表面に接触させ、前記種結晶の下表面と薄膜の表面との間に固液界面を形成させ、前記種結晶の下表面の形状及び寸法が、前記薄膜の表面の形状及び寸法と同じであるステップと、前記種結晶を引き上げて、前記溶融した材料を前記種結晶の固液界面で固化させて結晶を形成するステップと、を備えている。【選択図】図３
2013249250.tif 000002
【特許請求の範囲】
【請求項１】
材料を金型の凹溝に設置するステップと、
前記材料を溶融させて、溶融した材料が、前記凹溝を充填して薄膜を形成するステップと、
種結晶を下降させて、その下表面を前記薄膜の表面に接触させ、前記種結晶の下表面と薄膜の表面との間に固液界面を形成させ、前記種結晶の下表面の形状及び寸法が、前記薄膜の表面の形状及び寸法と同じであるステップと、
前記種結晶を引き上げて、前記溶融した材料を前記種結晶の固液界面で固化させて結晶を形成するステップと、
を備えていることを特徴とする結晶製造方法。
【請求項２】
前記金型は、生成炉に設置され、前記生成炉の内部には、窒素、アルゴンなどのような不活性気体が充填されており、且つ加熱装置が設置されていることを特徴とする請求項１に記載の結晶製造方法。
【発明の詳細な説明】
【技術分野】
【０００１】
本発明は、結晶製造技術に関するものであり、特に結晶製造方法に関するものである。
【背景技術】
【０００２】
一般的に、サファイアのような人工宝石の結晶は、引き上げ法（チョクラルスキー法）により製造することができる。この方法は、種結晶を坩堝内で溶融材料に接触させた後、ゆっくりと回転させながら引き上げる。しかし、この引き上げ法は、結晶の成長速度が遅く、製造コストも高いため、大量生産に不利である。
【発明の概要】
【発明が解決しようとする課題】
【０００３】
本発明の目的は、前記課題を解決し、コストが低い結晶製造方法を提供することである。
【課題を解決するための手段】
【０００４】
本発明に係る結晶製造方法は、材料を金型の凹溝に収容させるステップと、前記材料を溶融させて、溶融した材料が、前記凹溝を充填して薄膜を形成するステップと、種結晶を下降させて、その下表面を前記薄膜の表面に接触させ、前記種結晶の下表面と薄膜の表面との間に固液界面を形成させ、前記種結晶の下表面の形状及び寸法が、前記薄膜の表面の形状及び寸法と同じであるステップと、前記種結晶を引き上げて、前記溶融した材料を前記種結晶の固液界面で固化させて結晶を形成するステップと、を備えている。
【発明の効果】
【０００５】
本発明の結晶製造方法は、まず溶融した材料によって薄膜を形成させ、次に薄膜に接触させた種結晶を引き上げている。従って、回転させて種結晶を引き上げ方向と垂直な方向に沿って成長させる必要がないため、種結晶をより速く引き上げることができ、結晶の成長速度もより速くなる。よって、結晶の製造コストを下げることができる。
【図面の簡単な説明】
【０００６】
【図１】本発明の実施形態に係る材料を金型内に設置した後の状態を示す断面図である。
【図２】本発明の実施形態に係る種結晶を下降させた時の状態を示す断面図である。
【図３】本発明の実施形態に係る結晶を形成させた後種結晶を引き上げる時の状態を示す断面図である。
【発明を実施するための形態】
【０００７】
以下、図面を参照して、本発明の実施形態について説明する。
【０００８】
図１〜図３は、本発明の実施形態に係る結晶製造方法を示す図である。
【０００９】
結晶を成長させる時、まず、材料１０を金型２０内に設置する。金型２０は、イリジウム、ウォルフラム、モリブデン坩堝等である。金型２０には、材料１０を設置するための凹溝２１が設けられている。金型２０は、生成炉３０内に設置される。生成炉３０の内部には、窒素、アルゴンなどのような不活性気体が充填され、且つ加熱装置（図示せず）が設置されている。生成炉３０は、現有の技術であるため、ここでの詳細な説明は省略する。
【００１０】
本実施形態において、成長させる結晶は、サファイアである。材料１０は、アルミナ（Ａｌ２Ｏ３）粉末であり、純度は９９．９％以上である。他の実施形態においては、材料１０の成分を変更することによって、ルビーのような他の結晶を成長することもできる。
【００１１】
生成炉３０を加熱して材料１０を溶融させる。加熱温度は、材料１０の溶融温度より高いが、金型２０の溶融温度より低い。本実施形態において、加熱温度は、約２０５０℃である。溶融した材料１０は、凹溝２１を充填して薄膜１１を形成する。
【００１２】
次に、種結晶４０を緩やかに下降させた後、その下表面を凹溝２１に形成された薄膜１１の表面に接触させる。薄膜１１の表面と種結晶４０の下表面との間には、固液界面が形成されている。本実施形態において、種結晶４０は、天然サファイアであり、その下表面の形状及び寸法は、薄膜１１の表面の形状及び寸法と同じである。種結晶４０が薄膜１１の表面に十分に接触した後、種結晶４０を引き上げる。引き上げの時速は、１０〜２５ミリメートルである。この時、溶融した材料１０は、種結晶４０の固液界面上で固化され、種結晶４０の引き上げに伴って結晶１２が形成される。引き上げ方向に垂直な結晶１２の表面の形状および大きさは、種結晶４０の底面と同じである。溶融した材料１０は、薄膜１１の表面全体で同時に凝固されるため、回転させて種結晶４０を引き上げ方向に垂直な方向に沿って成長させる必要はない。これにより、種結晶４０をより速く引き上げることができ、結晶１２の成長速度はより速くなる。従って、結晶１２の製造コストを下げることができる。本実施形態において、結晶１２の製造コストを約５０％下げることができる。
【００１３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１４】
１０  材料
１１  薄膜
１２  結晶
２０  金型
２１  凹溝
３０  生成炉
４０  種結晶
【図１】
2013249250.tif 000003
【図２】
2013249250.tif 000004
【図３】
2013249250.tif 000005